(57)【特許請求の範囲】
【請求項１】
地面を耕耘して耕耘土を後方へ飛散させるものとした耕耘処理部と、この処理部の後方で芝ランナー群を地面の一定巾内に均等に散布するものとした芝苗散布部と、この散布部により地面に散布された芝ランナー群を圧下するものとした芝苗押圧部とを備えた構成となし、使用中に全体が一体的に前進移動され、この移動中に連続して、耕耘処理部の飛散させた耕耘土が芝苗押圧部により地面に押圧された状態の芝ランナー上に落下することを特徴とする芝苗撒布植付け装置。
【請求項２】
芝ランナー群を積載するための芝苗供給台を備えると共に、この供給台に形成された芝苗落下孔の下方に横長状で縦向きの芝苗案内通路を設け、この案内通路の内方には、前記芝苗落下孔の直下で縦軸回りへ揺動駆動される芝苗振払い具と、この振払い具で左右方向へ振り払われて落下した芝ランナー群を一定速度で下方へ掻き出すものとした芝苗掻出し具とを装設したことを特徴とする芝苗撒布植付け装置の芝苗撒布部。
【請求項３】
芝苗案内通路の内方で芝苗振払い具と芝苗掻出し具との間に左右向き軸回りへ繰返し揺動される縦向き係止棒群体を設け、この縦向き係止棒群体は前記左右向き軸に多数の係止棒を下向きとして左右方向へ並設したものであることを特徴とする請求項２記載の芝苗撒布植付け装置の芝苗撒布部。
【請求項４】
芝苗落下孔の直下近傍に液噴霧装置を設けたことを特徴とする請求項３記載の芝苗撒布植付け装置の芝苗撒布部。
【請求項５】
一定位置で回転自在に支持された左右向き軸に縦向きの多数のディスクを左右方向へ並設したものとした多重ディスク体を前後に配置すると共に、前側の多重ディスク体に於ける隣接したディスク間に後側の多重ディスク体のディスクを位置させ、しかも前側の多重ディスク体のディスクと後側の多重ディスク体のディスクとを側面視で部分的に重合させてあり、前後の多重ディスク体のディスクが芝ランナーを地面に圧下し密接させるように作動することを特徴とする芝苗撒布植付け装置の芝苗押圧部。
【請求項６】
前側の多重ディスク体の前方上部に左右向きの砕土用レーキを振動駆動可能に装設したことを特徴とする請求項５記載の芝苗撒布植付け装置の芝苗押圧部。
【発明の詳細な説明】
【０００１】
【発明の属する技術分野】
本発明は、芝苗撒布植付け装置並びにこの装置に使用される芝苗撒布部及び芝苗押圧部に関する。
【０００２】
【従来の技術】
芝地の形成にさいして、ソッド（切芝）を地面にそのまま張って活着させるように実施することも差し支えないが、この手法では芝の生育が十分に活性化するものとならず、強い芝地は得難いのである。
これがため、この手法に代えて、切芝をバラバラに解すなどして根茎（芝ランナー）のみを採取し、この芝ランナーを植え付けて発芽させることが行われる。
【０００３】
ところで、上記切芝のバラ撒きは専ら手作業で行い、その後耕転機などによって浅く耕して攪拌し、覆土の代用となすのであって、多大の時間と労力を必要とするものとなっている。
【０００４】
【発明が解決しようとする課題】
上記した従来に於ける人手による芝ランナーのバラ撒きは個人差があり、また耕転機などでの表土との攪拌では画一的で安定的な植付け状態が得難く、即ち、撒かれた芝ランナーが土中へ一定深さに確実に埋込まれるものとならないことから、発芽率が大きく低下することは免れないのであり、均一な生育の望めるものとならないのである。
【０００５】
本発明は斯かる実情に対処するため、活着性の良い埋込みに適した比較的長い芝ランナーを画一的且つ安定的且つ能率的に植え付けることのできる芝苗撒布植付け装置を提供するほか、この植付け装置に使用される芝苗撒布部及び芝苗押圧部を提供することを目的としている。
【０００６】
【課題を解決するための手段】
上記目的を達成するため、本発明の芝苗撒布植付け装置は、次のようなものとなすのであって、即ち、地面を耕耘して耕耘土を後方へ飛散させるものとした耕耘処理部と、この処理部の後方で芝ランナー群を地面の一定巾内に均等に散布するものとした芝苗散布部と、この散布部により地面に散布された芝ランナー群を圧下するものとした芝苗押圧部とを備えたものであって、使用中に全体が前進移動され、この移動中に連続して、耕耘処理部の飛散させた耕耘土が芝苗押圧部により地面に押圧された状態の芝苗上に落下する構成となす。
【０００７】
上記芝苗散布部は前進移動される過程でこれに供給される比較的長い芝ランナー群を耕耘処理部により耕起された地面の一定巾範囲に均等に撒布し、芝苗押圧部はこのように撒布された芝ランナーを地面に一時的に押え付けるように作動し、この押え付けられた状態の芝ランナー群には耕耘処理部で後方へ飛散された耕耘土が降りかかり、芝ランナー群は連続的に一定厚で覆土されるものとなる。
【０００８】
上記芝苗撒布部は具体的には次のようになす。即ち、芝ランナー群を積載するための芝苗供給台を備えると共に、この供給台に形成された芝苗落下孔の下方に横長状で縦向きの芝苗案内通路を設け、この案内通路内には、芝苗落下孔の直下で縦軸回りへ揺動駆動される芝苗振払い具と、この振払い具で左右方向へ振り払われて落下した芝ランナー群を一定速度で下方へ掻き出すものとした芝苗掻出し具とを装設する。このさい、芝苗落下孔の直下近傍に液噴霧装置を設けるのがよい。
【０００９】
芝苗供給台上の芝ランナー群は人手などにより芝苗落下孔から芝苗案内通路内に供給されるが、液噴霧装置はこのように芝苗案内通路内の上部に供給される芝ランナー群に効率的に養生液を掛けるものとなり、また芝苗振払い具は芝苗案内通路内に供給された芝ランナーを左右方向へ均等に振り払って落下させ、さらに芝苗掻出し具は芝苗案内通路内を落下した芝ランナー群を地面の一定巾範囲に定量的に撒布する。
【００１０】
この芝苗撒布部はさらに次のようになすのがよいのであって、即ち、芝苗案内通路の内方で芝苗振払い具と芝苗掻出し具との間に左右向き軸回りへ繰り返し揺動される縦向き係止棒群体を設けると共に、この縦向き係止棒群体は前記左右向き軸に多数の係止棒を下向きとして左右方向へ並設したものとなす。これによれば、芝苗撒布部が左右へ傾斜したとき、多数の係止棒が芝苗案内通路内の芝ランナー群と絡み合って芝ランナー群の左右方向への重力による移動を規制する。
【００１１】
上記芝苗押圧部は具体的には次のようになす。即ち、一定位置で回転自在に支持された左右向き軸に縦向きの多数のディスクを左右方向へ並設したものとした多重ディスク体を前後に位置させると共に、前側の多重ディスク体に於ける隣接したディスク間に後側の多重ディスク体のディスクを位置させ、しかも前側の多重ディスク体のディスクと後側の多重ディスク体のディスクとを側面視で部分的に重合させてあり、前後の多重ディスク体のディスクが芝ランナーを地面に圧下し密接させる構成となす。これによれば、前後の多重ディスクが地面の芝ランナーを適当時間に亘って圧下し続けるのであり、この圧下中に、耕耘処理部により後方へ飛散された耕耘土が多数のディスク間を経てこれらディスクの圧下した芝ランナー群に降りかかるのである。
【００１２】
この芝苗押圧部はさらに次のように具体化するのがよいのであって、即ち、前側の多重ディスク体の前方上部に左右向きの砕土用レーキを振動駆動可能に装設した構成となす。これによれば、砕土用レーキが耕耘処理部により後方へ飛散された耕耘土を衝撃的に受け止めてこれを破砕しディスク間に落下させるものとなる。このさい、砕土用レーキの振動はこれに衝突した土の砕土用レーキへの付着を阻止する。また、落下する芝ランナーが飛散する耕転土によって後方へ飛ばされるのを阻止して落とし、多重ディスクによって圧下されるよう芝ランナーを誘導する。
【００１３】
【発明の実施の形態】
図１は本発明に係る芝苗撒布植付け装置の使用状態を示す図、図２は前記植付け装置の側面視断面図、図３は前記植付け装置の要部を示す平面図、図４は前記植付け装置の芝苗落下孔周辺を示す図、図５は前記植付け装置の芝苗撒布部を部分的に切除して示した図、図６は前記植付け装置の芝苗押圧部を部分的に示す図である。
【００１４】
図１〜図３に示すように、本発明に係る芝苗撒布植付け装置は地面ａを耕耘して耕耘土ｂを後方へ飛散させるものとした耕耘処理部Ａと、この処理部Ａの後方で芝ランナーｃ群を地面ａの一定巾範囲ｄ内に均等に散布するものとした芝苗散布部Ｂと、この散布部Ｂにより地面ａに散布された芝ランナーｃ群を圧下するものとした芝苗押圧部Ｃとを備えたものであって、装置全体がトラクタｅの後部にリンク機構を介して支持されるものとなしてある。
【００１５】
先ず耕耘処理部Ａについて説明すると、トラクタｅに支持された伝動ケース１に耕耘軸２を回転可能に装着すると共にこの耕耘軸２に多数の耕耘爪３が固定してあり、これら耕耘爪３の上部には耕耘爪３の回転軌跡に沿わせた耕耘カバー４を伝動ケース１と同体に設け、前記耕耘軸２にトラクタｅから伝動ケース１を経て動力が伝達されるものとなしてある。
【００１６】
次に芝苗散布部Ｂについて説明すると、次のとおりである。
即ち、芝ランナーｃ群を積載するための芝苗供給台５を備え、この供給台５の前部下方に横長状で縦向きの芝苗案内通路６が設けてあり、またこの案内通路６内に、芝苗落下孔５ａの直下で縦軸７回りへ揺動駆動される芝苗振払い具８と、この振払い具８により左右方向へ振り払われて落下した芝ランナーｃ群を一定速度で下方へ掻き出すものとした芝苗掻出し具９とを備えている。
【００１７】
上記供給台５は水平支持板１０と縁部１１を有し、水平支持板１０は芝苗案内通路６を介して伝動ケース１と同体に固定されている。水平支持板１０の前部傾斜面部の巾中央個所には図４に示すように前記芝苗落下孔１０ａが形成されており、また水平支持板１０の下面には案内円筒１２が前記落下孔１０ａに連通するように固着してあって、この案内円筒１２の壁面に液噴射ノズル１３が固定されている。この水噴射ノズル１３はトラクタｅの前部に装着した液タンク１４の内方に収容された養生液を図示しないポンプにより供給されて案内円筒１２の内方へ向けて霧状に噴射するものとなされている。
【００１８】
上記芝苗案内通路６は平面視形状が横長状の四角形となされており、その側面視形状は下方へ向けて漸次狭くなる漏斗状となされている。また上記縦軸７はこの芝苗案内通路６の前面壁を図２に示すように外方から内方へ向けて稍斜め後向きとなされて配設されており、この縦軸７の上端に芝苗振払い具８が固着されている。このさい、縦軸７は芝苗案内通路６の外方に設けられた図示しない駆動機構により繰返し揺動されるものとなされており、また芝苗振払い具８は縦軸７の上端に図５に示すように２本のアーム棒部材１５、１５を十字状に固着すると共に、各アーム棒部材１５の適当間隔位置に上向き係合突起１６を固着するほか、中央個所に案内体１７をなす球状体を取付けたものとなしてある。該球状体はテニスボールの如きものの使用が良好である。なお、球状体に代えて円錐体であっても差し支えない。
【００１９】
上記芝苗掻出し具９は前記芝苗案内通路６の内方下部の稍前寄り個所に回転駆動可能に支持された左右向きの横軸１８と、この横軸１８に数ｃｍ間隔で外嵌させたゴム質板からなる掻出し板１９とからなり、矢印方向ｆ１へ回転されて芝ランナーｃを芝苗案内通路６の後面壁との間から下方へ掻き出すものとなしてある。このさい、横軸１８は前記芝苗案内通路６の側面壁に固定されたモータ２０の出力軸と結合させると共に、このモータ２０はトラクタｅから電力を供給されるものとなすのであり、また掻出し板１９は周囲に係止爪を形成したものとなす。
【００２０】
しかして、前記芝苗案内通路６の内方で芝苗振払い具８と芝苗掻出し具９との間には左右向き軸２１回りへ繰り返し揺動される縦向き係止棒群体２２が設けてある。この縦向き係止棒群体２２は前記左右向き軸２１としての横棒部材に多数の係止棒２３を下向きとして左右方向へ並設したもので、図示しない連動手段を介して芝苗掻出し具８と連動して揺動され、芝苗案内通路６内を落下する芝ランナーｃ群をこの案内通路６の中で常に振動しつつ芝ランナーの横移動を防止して均一性を保つようになされている。
【００２１】
次に芝苗押圧部Ｂについて説明すると、次のとおりである。
即ち、図１に示すように前記芝苗案内通路６後方の左右個所にこの案内通路６と同体的に縦支持部材２４が設けてあり、各縦支持部材２４の下端に前後向きの支持部材２５を揺動自在に軸着してある。そして、左右の支持部材２５の前部間と後部間の各々には多重ディスク体２６、２６が回転自在に装着してあり、各多重ディスク体２６は前記支持部材２５に回転自在に支持された各左右向き軸２７に多数のディスク２８を縦向きとして左右方向へ並設したものとなされている。
【００２２】
このさい、図６に示すように前側の多重ディスク体２６に於ける隣接したディスク２８、２８間に後側の多重ディスク体２６のディスク２８を位置させると共に、前側の多重ディスク体２６のディスク２８と後側の多重ディスク体２６のディスク２８とを側面視で部分的に重合させる。
【００２３】
さらに前側の多重ディスク体２６の前方上部には図２に示すように左右向きの砕土用レーキ２９が装設してある。この砕土用レーキ２９は前記芝苗案内通路６と同体部位に一定位置での揺動自在に支持された左右向きの横軸３０を有し、これに下向きの砕土歯３１を左右方向の一定間隔に並設したものとなしてある。前記横軸３０の一端には図２に示すようにカムローラ３２の設けられたアーム部材３３が固定してあり、一方では図１に示すように前記芝苗案内通路６と同体にモータ３４が固定してあり、このさいモータ３４の出力軸にはカム３５が固定される。そして前記カムローラ３２はアーム部材３３に係着されたスプリング３６の弾力を介してカム３５の周面に圧接され、モータ３４はトラクタｅから電力を供給されカム３５やアーム部材３３を介して砕土用レーキ２９を横軸３０回りへ振動させるものとなしてある。
【００２４】
図１中、３７は砕土用レーキ２９及び前側の多重ディスク体２６の上部を被うためのカバー板で、耕耘処理部Ａから飛来した耕耘土が外方へ飛び出ないようになしている。３８は芝苗案内通路６と同体に固定された作業床面部であり、３９は芝苗撒布部Ｂと芝苗押圧部Ｃの側面開口を被うものとしたゴム垂れで耕耘土ｂの飛散を防止すると共に装置内に風が吹き込むのを遮るものとなしてある。
【００２５】
次に上記のように構成した本発明装置の使用例及び作動などを説明する。
水タンク１４内に養生液を供給し、また芝苗供給台５上には洗浄消毒された芝ランナーｃ群を山積みする。このさい、養生液は水に発芽発根を促進させるための資材を混和させたものとなし、芝ランナーｃは例えば長さ凡そ１０ｃｍ〜３０ｃｍ程度のものが多数含まれたものとなす。芝ランナーは根茎まで良く洗浄され且つ消毒されたものとなっていることから、雑草の種子の付着がなく、また病虫害の菌種付着もないものとなされている。
【００２６】
この状態とした後、トラクタｅに操縦者が乗って装置全体を歩行速度程度で前進させて各部を作動させ、一方では作業床面部３８に苗芝供給者が乗って装置各部の調整や芝ランナーｃの供給作業などを行う。
【００２７】
装置全体の前進中には、耕耘処理部Ａの耕耘軸２が矢印方向ｆ２へ回転されて、耕耘爪３が地表の一定巾を浅く耕耘し耕耘土ｂを図１中の点線で示すように後方へ跳ね飛ばす。
【００２８】
芝苗供給者は芝苗供給台５上の芝ランナーｃをトラクタｅの進行速度に適合した分量づつ手掴みしては芝苗落下孔１０ａから芝苗案内円筒１２内へ押し込む処理を繰り返す。この一方では液噴霧装置１３が芝苗案内円筒１２内に位置した芝ランナーｃ群へ向けて液タンク１４内の養生液を噴霧してこれら芝ランナーｃ群を均等に濡らすものとなる。これにより芝ランナーｃが撓み易くて滑り易くなるため以後の処理が円滑に実施され、また植付け処理中に於ける乾燥を防止されて活着性を良好に維持される。
【００２９】
芝苗案内円筒１２の下方奥部の中心位置では芝苗振払い具８の球面案内体１７が上記押し込まれた芝ランナーｃ群を芝苗振払い具８の外周部に分散させるものとなり、このように分散された芝ランナーｃ群は芝苗振払い具８の上向き係合突起１６に絡まる。
【００３０】
ところが芝振払い具８は縦軸７回りへ比較的大きな速度で繰返し揺動されているため、前記係合突起１６に絡まった芝ランナーｃは遠心力で振り払われる。このさい、芝ランナーｃ群は芝苗振払い具８の振払い作用と芝苗案内通路６の前後面壁による案内作用とにより、芝苗案内通路６内の左右方向へ均等に分布するように飛散され、続いて芝苗掻出し具９へ向けて落下する。
【００３１】
芝ランナーｃの落下途中には縦向き係止棒群体２２が存在しており、これが比較的短い時間間隔で、即ち例えば１秒或いはそれよりも短い間隔で横軸２１回りへ揺動駆動されているのであり、従って係止棒２３群は前記時間間隔で、その前部空間を芝苗掻出し具８へ向けて落下している芝ランナーｃ群を芝苗案内通路６の前面壁との間で常に振動しつつ芝ランナーの横移動を防止して均一性を保たせるものとなる。
【００３２】
いま植付け装置全体が地面の傾斜などにより横傾斜したとすると、芝苗案内通路６内を落下する芝ランナーｃ群は重力作用により傾斜の低位側へ移動しようとするが、縦係止棒群体２２が上記のように挟み付けるため、芝ランナーｃ群は左右側への移動を抑制され、縦係止棒２３に沿った下方へ向け落下するものとなる。従って、芝苗案内通路６を落下した芝ランナーｃ群は装置全体の横傾斜にも拘わらず左右方向の均等分布を損なわれることなく芝苗掻出し具８に達するのである。
【００３３】
芝苗掻出し具８は横軸１８回りへ一定速度で回転されており、これの上部近傍に達した芝ランナーｃ群をゴム質材からなる掻き出し羽根１９の係止突起を介して一定速度で地面上の一定巾範囲ｄ内に掻き出すものとなり、これにより芝ランナーｃ群は地面ａの耕耘底面ａ１上に均等に撒布された状態となる。このさい、ゴム質材からなる掻き出し羽根１９は芝ランナーｃに過度に大きな掻出し力を付与する前に自身の弾性で撓曲したり横軸１８回りを空回りして、芝ランナーｃの損傷を阻止する。
【００３４】
また各多重ディスク体２６のディスク２８群は芝苗撒布部Ｂにより芝ランナーｃ群を撒布された耕耘底面ａ１上を適当な深さ状態で土との摩擦により自転しつつ前方へ牽引されるのであり、この前進中に、芝ランナーｃを各ディスク２８の外周縁で耕耘底面ａ１に押圧して密着させる。このさい、前側の多重ディスク体２６による押圧が終了しようとすると、今度は後側の多重ディスク体２６による同様な押圧が開始されるのであり、これにより芝ランナーｃ群は適当な一定時間が経過するまで耕耘底面ａ１に密着され続けるものとなる。
【００３５】
このように密着状態となされた芝ランナーｃ群の上には耕耘爪３が後方へ飛散させた耕耘土ｂが降り落ちるのであり、このさい低い位置を飛来した耕耘土ｂは前後の多重ディスク体２６のディスク２８間を経て直接的に芝ランナーｃ群に達しこれを覆うものとなる。
【００３６】
一方、前側の多重ディスク体２６の上部周辺に飛来した耕耘土ｂは砕土用レーキ２９の砕土歯３１群に達するのであり、ここで、小さな土粒は砕土歯３１群の隙間を通り抜けてさらに後方へ達し、大きな土塊は砕土歯３１群に衝突して小さく砕かれ、一部は後方へ飛散し、他部は近傍に落下するものとなって、芝ランナーｃ群を覆うものとなる。
【００３７】
上記の砕土処理中、砕土用レーキ２９は積極的に振動されているため、耕耘土が砕土歯３１群に付着滞積することは生じない。
また芝ランナーｃは前行程で濡れた状態となさているため、覆土中に微細な土粒が密状に付着して活着に適した状態となる。
【００３８】
上記のような芝ランナーｃの植付け処理を風の強い日に行う必要の生じることがあるが、このような場合であっても、耕耘処理部Ａに於ける耕耘土ｂの飛散領域や、芝苗撒布部に於ける芝ランナーｃ群の撒布領域や、芝苗押圧部Ｃに於ける芝ランナーｃ群の地面への押圧開始領域が耕耘カバー４やゴム垂れ３９などで覆われているため、植付け処理は風の影響を受けることなく的確に行われるのである。
【００３９】
【発明の効果】
上記した本発明によれば、以下のような特有の効果が期待されるのである。
（ａ）日本芝などのランナーで例えば１０ｃｍを越えるようなものであっても地面から浮き上がるような現象を生じさせることなく、これを確実且つ能率的に地面の適当深さに植え込むことを可能となすものであり、これにより発芽率が飛躍的に向上して芝は地面全体に斑なく生育するようになる。
【００４０】
（ｂ）地面の耕耘、芝ランナーの撒布及び覆土の各処理が機械的且つ連続的に行われるものとなり、一台の植付け装置と３人程度の作業者により、毎時凡そ１０００ｍ２〜２０００ｍ２程度の能率が得られるものとなる。
（ｃ）耕耘処理部の耕耘深さを調整することにより、芝ランナーの植込み深さが任意に微調整されるものとなる。
【００４１】
そして、請求項３によれば植付け装置全体が横傾斜しても芝ランナーの撒布のさいの偏在が防止されて均一な植付けが行えるものとなり、請求項４によれば芝ランナーの乾燥害を効率的に防止できてその発芽率をさらに向上させることができるものとなり、請求項６によれば芝ランナーを覆う土の微細化が促進され安定的且つ的確な覆土が行えるものである。
【図面の簡単な説明】
【図１】本発明に係る芝苗撒布植付け装置の使用状態を示す図である。
【図２】前記植付け装置の使用状態を示す側面視断面図である。
【図３】前記植付け装置の要部を示す平面図である。
【図４】前記植付け装置の芝苗落下孔周辺を示す図である。
【図５】前記植付け装置の芝苗撒布部を部分的に切除して示した図である。
【図６】前記植付け装置の芝苗押圧部を部分的に示す図である。
【符号の説明】
Ａ  耕耘処理部
Ｂ  芝苗散布部
Ｃ  芝苗押圧部
ａ  地面
ａ１  耕耘底面
ｂ  耕耘土
ｃ  芝ランナー
５  芝苗供給台
６  芝苗案内通路
７  縦軸
８  芝苗振払い具
９  芝苗掻出し具
１０ａ  芝苗落下孔
１３  液噴霧装置
２１  横棒部材（左右向き軸）
２２  縦向き係止棒群体
２３  係止棒
２６  多重ディスク体
２７  左右向き軸
２８  ディスク
２９  砕土用レーキ
【図１】
0003959513.tif 000002
【図２】
0003959513.tif 000003
【図３】
0003959513.tif 000004
【図４】
0003959513.tif 000005
【図５】
0003959513.tif 000006
【図６】
0003959513.tif 000007